(57)【特許請求の範囲】
【請求項１】
デバイス筐体から少なくとも１対のＬＥＤ用端子を導出するとともに該ＬＥＤ用端子と連結する発光ダイオードを内蔵した電子デバイスにおいて、前記発光ダイオードにリードフレームを突出するとともに前記デバイス筐体内部の前記ＬＥＤ用端子に開口部の上部から垂下部を形成したコの字状欠所からなる係止部を形成して前記発光ダイオードのリードフレームを掛止し、しかも前記発光ダイオードの下方と前記デバイス筐体底面間に弾性部材を設けて前記発光ダイオードに前記弾性部材による弾発力を付勢することで前記発光ダイオードのリードフレームを前記コの字状欠所の上面に当接させて前記係止部に固定し、前記発光ダイオードを前記ＬＥＤ用端子に着脱可能に接続したことを特徴とする電子デバイス。
【請求項２】
前記デバイス筐体底面部に収納部を設け、前記弾性部材としてコイルバネを配設したことを特徴とする請求項１記載の電子デバイス。
【請求項３】
デバイス筐体から少なくとも１対のＬＥＤ用端子を導出するとともに該ＬＥＤ用端子と連結する発光ダイオードを内蔵した電子デバイスにおいて、前記発光ダイオードにリードフレームを突出するとともに前記デバイス筐体内部の前記ＬＥＤ用端子に開口部の上部から垂下部を形成したコの字状欠所からなる係止部を形成して前記発光ダイオードのリードフレームを掛止し、しかも前記係止部に弾性部材を配設し、前記リードフレームを前記弾性部材による弾発力を付勢することで前記発光ダイオードのリードフレームを前記コの字状欠所の上面に当接させて前記係止部に固定し、前記発光ダイオードを前記ＬＥＤ用端子に着脱可能に接続したことを特徴とする電子デバイス。
【発明の詳細な説明】
【０００１】
【発明の属する技術分野】
本発明は、電気・電子機器類に使用される電子デバイスに関する。
【０００２】
【従来の技術】
図４は従来の電子デバイスの一例を表す分解斜視図であり、電子デバイス筐体４１の内部に発光ダイオード４５を配置している表示装置の主要部品を図示している。
ベース４４にＬＥＤ用端子４８を差し込んだ後に発光ダイオード４５のリードフレーム４６を前記のＬＥＤ用端子４８に載置して固定する方法であり、ＬＥＤ用端子４８と発光ダイオードリードフレーム４６の具体的な固定方法として、スポット溶接やはんだ付け、あるいは加締め方法が用いられている。
【０００３】
【発明が解決しようとする課題】
発光ダイオードのリードフレームをスポット溶接によって固定する場合、特別にスポット加工設備が必要であり、誤って極性を逆に固定した場合にやり直しが効かず、歩留まりが悪い欠点があった。
また、はんだ付けにより固定する場合、設備に費用はかからないが、デバイス自体がはんだ結線される際、固定部分が再溶融してリードフレームがＬＥＤ用端子から外れる恐れがあった。
更に、前述の方法も含めてリードフレームをＬＥＤ用端子の先端部分で加締めて固定する場合にも一旦固定してしまうと直しが効かないだけでなく、発光ダイオードの発光色別に製品を準備する必要があり、在庫が嵩むという問題があった。
本発明は前記欠点を解消し、特別な加工設備を必要とせず、発光ダイオードの交換も容易に可能であるため、生産や在庫効率に優れた電子デバイスを提供する目的で発明されたものである。
【０００４】
【課題を解決するための手段】
上記問題点を解決するために、デバイス筐体から少なくとも１対のＬＥＤ用端子を導出するとともに該ＬＥＤ用端子と連結する発光ダイオードを内蔵した電子デバイスにおいて、前記発光ダイオードにリードフレームを突出するとともに前記デバイス筐体内部の前記ＬＥＤ用端子に開口部の上部から垂下部を形成したコの字状欠所からなる係止部を形成して前記発光ダイオードのリードフレームを掛止し、しかも前記発光ダイオードの下方と前記デバイス筐体底面間に弾性部材を設けて前記発光ダイオードに前記弾性部材による弾発力を付勢することで前記発光ダイオードのリードフレームを前記コの字状欠所の上面に当接させて前記係止部に固定し、前記発光ダイオードを前記ＬＥＤ用端子に着脱可能に接続する。
また、前記デバイス筐体底面部に収納部を設け、前記弾性部材としてコイルバネを配設する。
さらに、デバイス筐体から少なくとも１対のＬＥＤ用端子を導出するとともに該ＬＥＤ用端子と連結する発光ダイオードを内蔵した電子デバイスにおいて、前記発光ダイオードにリードフレームを突出するとともに前記デバイス筐体内部の前記ＬＥＤ用端子に開口部の上部から垂下部を形成したコの字状欠所からなる係止部を形成して前記発光ダイオードのリードフレームを掛止し、しかも前記係止部に弾性部材を配設し、前記リードフレームを前記弾性部材による弾発力を付勢することで前記発光ダイオードのリードフレームを前記コの字状欠所の上面に当接させて前記係止部に固定し、前記発光ダイオードを前記ＬＥＤ用端子に着脱可能に接続する。
【０００５】
【発明の実施の形態】
本発明の電子デバイスは、発光ダイオードの下方とデバイス筐体底面間に弾性部材を設けて発光ダイオードに弾性部材による弾発力を付勢することでリードフレームをコの字状欠所の上面に当接させて係止部に固定し、発光ダイオードをＬＥＤ用端子に接続したので、発光ダイオードの交替が可能となり、部品や製品在庫の削減に貢献することができる。
また、デバイス筐体底面部に収納部を設けるとともに弾性部材としてコイルバネを配設したので、組立が容易で安価な電子デバイスを構成することができるだけでなく、リードフレームとの接触が安定した品質の良い電子デバイスを提供することができる。
【０００６】
【実施例】
以下、本発明の実施例について図面を参照しながら詳細に説明する。
図１は本発明の電子デバイスの第１実施例を表す主要部分の分解斜視図であり、図２はその主要部の組立て状態を表す外観斜視図である。
【０００７】
ベース４の中央部には発光ダイオード５が載置される凹所１２を設けた凸部１３が形成されるとともに、前記凹所１２の略中心部には弾性部材であるコイルバネ７の収納用孔１５が穿設されている。
そして前記凸部１３の両側面にＬＥＤ用端子８をベース４の下面に導出するためのガイド孔１４が設けられている。
【０００８】
一方、ＬＥＤ用端子８には、ベース４へ固定するための切起こし部１１と突当て部１６を形成するとともに上部には発光ダイオード５のリードフレーム６を係止するためのコの字状欠所９が形成されている。さらに、このコの字状欠所９の入口部には上部から垂下部１０が形成されている。
【０００９】
前記コイルバネ７の収納用孔１５の底面部にはコイルバネ７が抜け出ないようにコイルバネ７の端末部が圧入等により仮止めされている。（図示せず）
【００１０】
発光ダイオード５はリードフレーム６を略水平に突出しており、ＬＥＤ用端子８に取付ける際は、発光ダイオード５のリードフレーム６をコの字状欠所９の開口部から横方向に滑り込ませて係止する。この際、コイルバネ７は発光ダイオード５の下面により圧縮されリードフレーム６とＬＥＤ用端子８への接触力を付勢させる。
【００１１】
一旦、発光ダイオード５がＬＥＤ用端子８に差し込まれると、前記コの字状欠所９の開口部に設けた垂下部１０により、リードフレーム６の外れが阻止される。一方、発光ダイオード５を垂下部１０よりも下方へ押し下げ、開口部方向へ移動させることで容易に取外すことができる。
【００１２】
このように構成された本発明の電子デバイスは、発光ダイオード５の着脱が極めて容易であり、特別な加工設備や治工具を必要としないため、組立費用を削減して生産効率を向上するとともに在庫を削減して理想的な生産形態を提供することができる。
さらに、コイルバネ７による安定した荷重を接触力に付勢することができるため、リードフレーム６とＬＥＤ用端子８の接触信頼性を向上することができる。
【００１３】
図３は本発明の電子デバイスの第２実施例を表すＬＥＤ用端子の外観斜視図である。第１実施例に比べて各ＬＥＤ用端子２８に弾性部材であるコイルバネ２７を配設した事例である。
このように構成された電子デバイスは、それぞれのリードフレームに独立した強いバネ荷重を付勢することができ、振動や衝撃により強く、更に品質の良い電子デバイスを提供することができる。
【００１４】
なお、本発明の第１実施例および第２実施例において、形状の異なるＬＥＤ用端子を図解したが、第２実施例によるＬＥＤ用端子２８を両方の実施例に兼用することができる。また、発光ダイオードの形態や発光素子の種類、および係止部の形状等についてはさまざまな展開が可能であり、本発明はこのような事例を排除するものではない。
【００１５】
【発明の効果】
以上、詳細に説明したように、本発明によれば次のような効果を奏することができる。
（１）デバイス筐体から少なくとも１対のＬＥＤ用端子を導出するとともに該ＬＥＤ用端子と連結する発光ダイオードを内蔵した電子デバイスにおいて、前記発光ダイオードにリードフレームを突出するとともに前記デバイス筐体内部の前記ＬＥＤ用端子に開口部の上部から垂下部を形成したコの字状欠所からなる係止部を形成して前記発光ダイオードのリードフレームを掛止し、しかも前記発光ダイオードの下方と前記デバイス筐体底面間に弾性部材を設けて前記発光ダイオードに前記弾性部材による弾発力を付勢することで前記発光ダイオードのリードフレームを前記コの字状欠所の上面に当接させて前記係止部に固定し、前記発光ダイオードを前記ＬＥＤ用端子に着脱可能に接続したので、発光ダイオードの交替が可能となり、部品や製品在庫の削減に貢献することができる。
（２）デバイス筐体底面部に収納部を設け、弾性部材としてコイルバネを配設したので、組立が容易で安価な電子デバイスを構成することができる。
（３）デバイス筐体底面部に収納部を設け、弾性部材としてコイルバネを配設したので、接触の安定した品質の良い電子デバイスを提供することができる。
（４）デバイス筐体から少なくとも１対のＬＥＤ用端子を導出するとともに該ＬＥＤ用端子と連結する発光ダイオードを内蔵した電子デバイスにおいて、前記発光ダイオードにリードフレームを突出するとともに前記デバイス筐体内部の前記ＬＥＤ用端子に開口部の上部から垂下部を形成したコの字状欠所からなる係止部を形成して前記発光ダイオードのリードフレームを掛止し、しかも前記係止部に弾性部材を配設し、前記リードフレームを前記弾性部材による弾発力を付勢することで前記発光ダイオードのリードフレームを前記コの字状欠所の上面に当接させて前記係止部に固定し、前記発光ダイオードを前記ＬＥＤ用端子に着脱可能に接続したので、振動や衝撃に強く、より品質の良い電子デバイスを提供することができる。
【図面の簡単な説明】
【図１】  本発明の電子デバイスの第１実施例を表す主要部分の分解斜視図である。
【図２】  本発明の電子デバイスの第１実施例の主要部の組立て状態を表す外観斜視図である。
【図３】  本発明の電子デバイスの第２実施例を表すＬＥＤ用端子の外観斜視図である。
【図４】  従来の電子デバイスの一例を表す分解斜視図である。
【符号の説明】
１、４１  電子デバイス筐体
２、４２  照光部
３  プランジャ
４、４４  ベース
５、４５  発光ダイオード
６、４６  リードフレーム
７、２７  コイルバネ
８、２８、４８  ＬＥＤ用端子
９、２９  コの字状欠所
１０、３０  垂下部
１１、３１  切起こし部
１２  凹所
１３  凸部
１４、５４  ガイド孔
１５  収納用孔
１６  突当て部
【図１】
0004424527.tif 000002
【図２】
0004424527.tif 000003
【図３】
0004424527.tif 000004
【図４】
0004424527.tif 000005